(57)【要約】【課題】簡単且つ確実に釣糸を固定することができるコスト安価な釣糸用スプールを提供すること。【解決手段】釣糸用スプール１０は、スプール本体１２と、面ファスナー１１とを備える。スプール本体１２は、円筒部１６とフランジ部１４，１５とを備える。面ファスナー１１は、フランジ部１５の外側面１７に取り付けられている。面ファスナー１１は、一対の面ファスナー片１９，２０を有する。面ファスナー片１９は、面ファスナー片２０に対して開閉し、釣糸を挟持する。【選択図】  図１
2004215636.tif 000002
【特許請求の範囲】
【請求項１】
釣糸が巻き取られる円筒部と、
円筒部の両端部に形成されたフランジ部と、
フランジ部の外側面に設けられ、面ファスナー機構を備える釣糸挟持部とを有する釣糸用スプール。
【請求項２】
上記釣糸挟持部は、
一対の面ファスナー片を有し、一対の面ファスナー片が互いに対向して上記釣糸の端部を挟んだ状態で閉じる閉姿勢と、互いに離反して開く開姿勢との間で開閉自在となるように構成されている請求項１記載の釣糸用スプール。
【発明の詳細な説明】
【０００１】
【発明の属する技術の分野】
この発明は、長尺の釣糸が巻回される釣糸用スプールの構造に関するものである。
【０００２】
【従来の技術及び発明が解決しようとする課題】
釣糸は、一般に定尺寸法（５０ｍ〜２００ｍ程度）に切断され、これが釣糸用スプールに巻き取られた状態で販売され、使用される。釣糸用スプールは、一般にボビン状に形成されており、釣糸が巻き付けられる円筒部と、この両端部に設けられたフランジ部とを有する。
釣糸がいわゆる道糸として使用されるときは、釣糸用スプールに巻き取られた全部の釣糸が一時に使用されるが、例えば、釣糸がハリスとして使用されるときは、釣人は、釣糸用スプールから所要長さだけ釣糸を引き出して使用し、残りの釣糸は、その端部が当該釣糸用スプールに係止された状態で保存される。
【０００３】
釣糸の一部が釣糸用スプールによって保存される場合は、釣糸の端部が釣糸用スプールに係止されていなければならない。このため、従来の釣糸用スプールには、釣糸の端部を係止するための係止部ないし係止具が設けられており、当該係止部等の形状、構造は、種々提案されている（例えば、特許文献１及び特許文献２参照）。
【０００４】
【特許文献１】
特開平１１−２２０９９０号公報
【特許文献２】
特開２０００−３７１５５号公報
【０００５】
従来の釣糸用スプールに設けられた係止部は、一般に釣糸用スプールに設けられたスリットにより構成されている。つまり、釣糸は、このスリット内に押し込まれ、固定されるようになっている。
上記スリットは、通常、釣糸用スプールのフランジ部の周縁部や外側面等に設けられるが、この位置にスリットが設けられた場合には、釣糸が容易に釣糸用スプールからはずれてしまったり、また、釣糸の端部を係止する作業が容易でないという問題があった。
【０００６】
一方、上記特許文献１が開示するように、釣糸の端部を係止するために別途係止具が設けられる場合は、当該係止具が樹脂成型品として構成されるため、釣糸用スプール全体の製造コストが上昇するという問題があった。
そこで、本発明の目的は、釣糸の端部をより簡単且つ確実に係止することができ、しかもきわめてコスト安価な釣糸用スプールを提供することである。
【０００７】
【課題を解決するための手段】
上記目的を達成するため、本願に係る釣糸用スプールは、釣糸が巻き取られる円筒部と、円筒部の両端部に形成されたフランジ部と、フランジ部の外側面に設けられ、面ファスナー機構を備える釣糸挟持部とを有することを特徴とするものである。
【０００８】
この構成によれば、長尺の釣糸は、円筒部に巻き付けられる。釣糸の端部は、円筒部からフランジ部を乗り越えてフランジ部の外側面に固定される。釣糸の端部は、釣糸挟持部によって挟持固定されるが、具体的には、釣糸挟持部の面ファスナー機構によって挟持される。面ファスナー機構は、従来から一般的に使用されているマジックテープ（登録商標）等により構成される。
【０００９】
また、上記釣糸挟持部は、一対の面ファスナー片を有し、一対の面ファスナー片が互いに対向して上記釣糸の端部を挟んだ状態で閉じる閉姿勢と、互いに離反して開く開姿勢との間で開閉自在となるように構成されているのが好ましい。
【００１０】
この構成では、釣糸の端部を固定する作業がきわめて簡単である。すなわち、釣人は、一対の面ファスナー片のうち一方を手で持って両者を互いに離反させて開姿勢とすることができる。そして、釣人は、釣糸の端部を手に取り、これを他方の面ファスナー片に載せる。さらに、釣人は、再度、一方の面ファスナー片を他方の面ファスナー片に当接させて両者を閉姿勢とすることによって、当該釣糸の端部は、一対の面ファスナー片によって挟持固定される。
【００１１】
【発明の実施の形態】
以下、本発明の実施の形態について説明される。
図１は、本発明の一実施形態に係る釣糸用スプール１０の斜視図である。
本実施形態に係る釣糸用スプール１０の特徴とするところは、同図が示すように、釣糸用スプール１０に面ファスナー１１（釣糸挟持部）が備えられており、これにより、釣糸用スプール１０に巻き取られた釣糸の端部が確実に挟持固定されるようになっている点である。
【００１２】
釣糸用スプール１０は、スプール本体１２と、上記面ファスナー１１とを備えている。
スプール本体１２は、円筒部１３とフランジ部１４，１５とを備えている。スプール本体１２は、従来から一般的に提供されているスプール本体と同様の構造であって、例えば合成樹脂により一体的に形成されている。もっとも、スプール本体１２は、合成樹脂のほか、紙やその他の種々の材料により構成されていてもよい。
【００１３】
円筒部１３は、所定の外径寸法に形成されている。釣糸は、この円筒部１３に、その軸方向に沿って順次巻き取られる。
フランジ部１４，１５は、同図が示すように、円筒部１３の両端部に設けられており、互いに対向している。このフランジ部１４，１５が設けられることによって、釣糸は、円筒部１３の軸方向に沿って往復しつつ正確に巻き取られる。
なお、円筒部１３の中央部には、フランジ部１４，１５に貫通する中筒部１６が形成されている。この中筒部１６は、例えば、釣糸が釣糸巻取機によって自動的に巻き取られる場合に、釣糸巻取機の回転軸が挿通されるようになっている。
【００１４】
図２は、釣糸用スプール１０の要部拡大斜視図である。
同図が示すように、面ファスナー１１は、スプール本体１１のフランジ部１５の外側面１７に取り付けられている。もっとも、面ファスナー１１は、フランジ部１４側に設けられていてもよい。面ファスナー１１は、典型的には、マジックテープ（登録商標）が採用され得る。
面ファスナー１１は、基布１８と、基布１８に設けられた一対の面ファスナー片１９，２０とを備えている。
【００１５】
基布１８は、例えばナイロン等により構成されており、可撓性を有する。基布１８は、同図が示すように矩形に形成されており、その長辺の一方側２２が上記フランジ１５に固定されている。なお、基布１８の固定は、接着剤等により行われる。したがって、基布１８の他方側２３は、基布１８の一方側に対して自在に変位することができ、矢印２１の方向に沿って近接／離反することが可能となっている。
【００１６】
面ファスナー片１９及び面ファスナー片２０は、互いに協働して面ファスナー機構を構成する。面ファスナー片１９及び面ファスナー片２０は、同図が示すように矩形状に形成されており、面ファスナー片１９が上記基布１８の他方側２３に取り付けられ、面ファスナー片２０が上記基布１８の一方側２２に取り付けられている。
【００１７】
本実施形態では、面ファスナー片１９，２０は、共に所定の繊維により構成されており、面ファスナー片１９は、当該繊維が凸状構造を有し、面ファスナー片２０は、当該繊維が凹状構造を有している。したがって、上記基布１８の他方側２３が一方側２２に対して近接／離反することによって、面ファスナー片１９が面ファスナー片２０に対して当接した姿勢（閉姿勢）となり、また、離反した姿勢（開姿勢）となる。面ファスナー片１９が面ファスナー片２０に当接することによって、両者の繊維が所定の係合力で係合する。
【００１８】
なお、本実施形態では、面ファスナー片１９が上記凸状構造を有し、面ファスナー片２０が上記凹状構造を有するように構成されているが、面ファスナー１９，２０は、かかる構造に限定されるものではなく、各面ファスナー片１９，２０が凸状構造と凹状構造とが混在した構造等、従来から提供されている種々の構造が採用され得ることは言うまでもない。
【００１９】
また、本実施形態では、図１及び図２が示すように、面ファスナー片１９の繊維の方向は鉛直方向に沿って配置されている。そして、面ファスナー片２０の繊維の方向は、当該面ファスナー片２０が面ファスナー片１９に当接したときに、面ファスナー片１９の繊維の方向に沿うように配置されている。
もっとも、面ファスナー片１９，２０の繊維の方向は、上記方向に限定されるものではなく、他の方向に設定されていてもよいことは勿論である。
【００２０】
この釣糸用スプール１０では、釣糸がスプール本体１２に巻き取られるが、例えば、釣糸がハリスとして使用されるときは、所要長さの釣糸がスプール本体１２から引き出されて使用され、残りの釣糸は、なおスプール本体１２に確実に巻き取られた状態で保存される。
このとき、図２が示すように、釣糸２４の端部２５は、スプール本体１２のフランジ部１５を乗り越え、面ファスナー１１によって固定される。
【００２１】
具体的には、まず、面ファスナー片１９が面ファスナー片２０に対して離反され、両者間に釣糸２４の端部２５が配置される。そして、面ファスナー片１９が面ファスナー片２０に当接されることによって、釣糸２４の端部２５は、両者間に挟み込まれて確実に固定される。
なお、釣人は、面ファスナー片１９を把持し、面ファスナー片２０から離反させることは容易である。したがって、釣人は、面ファスナー１１によって固定された釣糸２４を再びスプール本体１２から引き出し自在な状態にすることは、きわめて簡単である。
【００２２】
このように、本実施形態に係る釣糸用スプール１０では、釣糸２４の端部２５は、面ファスナー１１によって確実に挟持固定されるので、釣糸２４の保存に便利である。また、面ファスナー１１は、従来から一般的に提供されているマジックテープ（登録商標）が採用され得るので、釣糸用スプール１０の製造コストは、きわめて安価なものになるという利点ある。
【００２３】
また、本実施形態では、図２が示すように、面ファスナー片１９，２０は、基布１８の両側２２，２３に取り付けられており、面ファスナー１１が単一の部材として構成されているが、基布が２つの部材に分割され、それぞれに面ファスナー片１９及び面ファスナー片２０が設けられていてもよいことは勿論である。
【００２４】
次に、本実施形態の変形例について説明される。
図３は、本実施形態の変形例に係る面ファスナー３０の構造を示す斜視図である。
本変形例に係る面ファスナー３０が上記実施形態に係る面ファスナー１１と異なるところは、上記実施形態では、面ファスナー１１を構成する面ファスナー片１９，２０の繊維の方向が一方向（鉛直方向）に揃っていたのに対し、本変形例では、面ファスナー片１９，２０の繊維の方向が２つの方向に沿って配置されている点である。なお、その他の構成については、上記実施形態に係る面ファスナー１１と同様である。
【００２５】
本変形例では、面ファスナー片１９は、同図が示すように右側部分３１と左側部分３２とに分割されており、各部分３１，３２の繊維の方向は、右側部分３１が水平方向に、左側部分３２が鉛直方向に設定されている。
同様に、面ファスナー片２０も右側部分３３と左側部分３４とに分割されており、各部分３３，３４の繊維の方向は、右側部分３３が水平方向に、左側部分３４が鉛直方向に設定されている。
【００２６】
本変形例では、釣糸２４の端部２５は、上記実施形態と同様に面ファスナー片１９，２０によって挟持固定されるが、面ファスナー片１９，２０は、前述のように２分割されており、その繊維方向が交差されているので、より確実に釣糸２４を固定することができるという利点がある。
なお、本変形例では、各面ファスナー片１９，２０の繊維方向が直交するように構成されているが、これに限定されるものではなく、各繊維は、互いに一定の角度で交差していればよい。
【００２７】
【発明の効果】
以上のように、本発明によれば、釣糸の端部は、釣糸挟持部によって挟持固定されるが、この釣糸挟持部は、面ファスナー（典型的には、従来から一般的に使用されているマジックテープ（登録商標）等）により構成されるから、釣糸の端部は、簡単かつ確実に固定され、しかも、釣糸用スプール全体の製造コストは、きわめて安価なものとなる。
【図面の簡単な説明】
【図１】図１は、本発明の一実施形態に係る釣糸用スプールの斜視図である。
【図２】図２は、本発明の一実施形態に係る釣糸用スプールの要部拡大斜視図である。
【図３】図３は、本発明の一実施形態の変形例に係る面ファスナーの構造を示す斜視図である。
【符号の説明】
１０  釣糸用スプール
１１  面ファスナー
１２  スプール本体
１３  円筒部
１４  フランジ
１５  フランジ
１７  外側面
１８  基布
１９  面ファスナー片
２０  面ファスナー片
２４  釣糸
２５  端部
３０  面ファスナー
３１  右側部分
３２  左側部分
３３  右側部分
３４  左側部分
【図１】
2004215636.tif 000003
【図２】
2004215636.tif 000004
【図３】
2004215636.tif 000005